(57)【要約】      （修正有）【課題】贔屓のチームや選手の名前を表示しながら応援できるだけでなく、チームの入場時におけるプラカードとしても使用できる。しかもこのプラカード型の応援グッズは周囲の観戦者に迷惑をかけない多目的の携行可能なプラカード兼用スポーツ応援グッズを提供する。【解決手段】方形、多角形、円形、星型、人気動物その他キャラクターの断面形状を有する前面と側面が開口された仕切りが設けられた中空の箱体、中空部に装填された応援メッセージ部材、および箱体の裏面に支持体が着脱自在に係止されたプラカード兼用スポーツ応援グッズ。【選択図】図２
2007133275.tif 000002
【特許請求の範囲】
【請求項１】
前面および上面又は側面が開口された中空の箱体、箱体の中空部に出し入れ可能に装填された応援メッセージ部材および箱体の裏面には支持体を着脱可能に係止することができる係止具が設けられていることを特徴とするプラカード兼用スポーツ応援グッズ。
【請求項２】
箱体の断面形状が方形、多角形、円形、楕円形、星型、キャラクターのいずれかの１つであることを特徴とする請求項1に記載されたプラカード兼用スポーツ応援グッズ。
【請求項３】
箱体の側面の開口部に開閉自在な蓋が設けられていることを特徴とする請求項１または２に記載されたプラカード兼用スポーツ応援グッズ。
【請求項４】
箱体の中空部に仕切りが設けられていることを特徴とする請求項１ないし３のいずれかに記載されたプラカード兼用スポーツ応援グッズ。
【請求項５】
箱体の中空部の一方にネームプレートが他方に粒状物または棒状物が装填されていることを特徴とする請求項４に記載されたプラカード兼用スポーツ応援グッズ。
【請求項６】
箱体の側面または裏面の少なくとも１つに孔またはスリットが設けられていることを特徴とする請求項５に記載のプラカード兼用スポーツ応援グッズ。
【発明の詳細な説明】
【技術分野】
【０００１】
この出願の発明は野球やサッカー等のスポーツ選手が入場する時の入場行進用のプラカードあるいはスポーツを観戦している際に活躍するチームや選手を応援して雰囲気を盛り上げるための好適な携行可能なプラカード兼用スポーツ応援グッズに関する。
【背景技術】
【０００２】
野球やサッカー等のスポーツを観戦や応援する時には多くの人は贔屓のチーム名や選手の名前を大声を上げて応援する。そして、この贔屓チームや贔屓選手に対する応援は、ただ拍手や声援だけでなく、様々な応援グッズを用いながら行うこともある。特に地域で盛んな少年野球や少年サッカーのように自分の子供や近所の子供達が活躍する場合には、競技用の用具、入場行進や記念撮影に用いるプラカード、その他応援グッズは勿論、おやつ、弁当、タオル、座布団等を持参する。
【０００３】
しかしながら、これらの応援グッズを入れる入れ物の個数が増えると電車やバスによる移動中の携行が困難になるだけでなく応援グッズの置き場所の確保が困難になる。また、応援グッズの数が多くなると移動中や競技場での管理も難しく置き忘れる心配もある。
そのため、携行が簡単な小型でインパクトが大きい様々な応援グッズがこれまでにも数多く開発されている。たとえば、このような携行可能な応援グッズとしては開口部が形成された中空の応援棒内にフラッグが連結部材に取り付けられた状態で配置され、フラッグと連結部材を開口部を介して移動させフラッグを応援棒に対して出し入れ可能にした応援具（特許文献１）、手に持つことができる筒体とこの筒体に収納可能でこの筒体を振ることによって筒体から筒体の一端側に具備されている開口を通して空中へ飛び出す飛び飾りとこの飛び飾りを筒体に連結状態保持しその飛び飾りが筒体から上記開口を通して空中へ飛び出すことを許容する長さを有する連結紐が備えられた遊戯具（特許文献２）、また指に装着する小型の応援グッズ（特許文献３）等もある。
【０００４】
さらに、音の出る応援グッズとしては変形後、復元可能な通気性の素材で構成された芯材と該芯材を収納する気密性の内袋と該内袋の内外を連通するように配置した鳴動体とにより芯部が構成され該芯部をカバー部材により覆われた音発生応援用具（特許文献４）、または弾力性を有する軟質合成樹脂で成型された中空密閉の打撃部と、該打撃部の柄部とから構成され、前記打撃部に開孔部を設け、該開孔部に笛部を取り付けてなる打撃玩具に於いて、前記柄部が中空に形成されると共にその両端部が開口された音色を発生する応援用の打撃玩具（特許文献５）等の応援グッズが開発されている。
【特許文献１】：  特開２００３−２３６２６２号公報
【特許文献２】：  特開２００２−３６０９５２号公報
【特許文献３】：  特開平０８−  ４７５８６号広報
【特許文献４】：  特開２００２−３１５９７１号公報
【特許文献５】：  特開平１１−２８５５８６号公報
【発明の開示】
【発明が解決しようとする課題】
【０００５】
従来のスポーツ応援グッズの多くは、サッカーにおいて贔屓チームの選手が得点したり、野球などで贔屓チームの選手が特定圏において打席に入った場合等では、大きな音が出る笛や太鼓、あるいは華やかな色彩のテープや団扇を用いて贔屓チーム全体の雰囲気を盛り上げるタイプの応援グッズが多く、個々の選手名やチーム名を入れ替えて応援するものはこれまでなかった。
【０００６】
この出願の発明はプラカード型の応援グッズに関するものであり、サッカーの試合においては相手ゴールに突進する選手、また野球の試合において打席に立つ選手にその選手の名前を表示して応援することができる応援グッズである。しかも、この応援グッズはプラカードの表示をチーム名にすることにより入場時の先頭に掲げるプラカードとしても使用可能である。このように、この出願の発明の応援グッズはチームの入場時におけるプラカードや選手の名前を表示しながら応援できて、しかも周囲の観戦者に迷惑をかけない多目的の携行可能な応援グッズを提供するものである。
【課題を解決するための手段】
【０００７】
この出願の発明は上記の課題を解決するものとして、第１には、前面および上面又は側面が開口された中空の箱体、該中空部に出し入れ可能に装填された応援メッセージ部材、および箱体の裏面に支持体が着脱可能に係止されているプラカード兼用スポーツ応援グッズを提供する。
第２には、箱体の断面形状が方形、多角形、円形、楕円形、星型、キャラクターである上記のプラカード兼用スポーツ応援グッズを提供する。
第３には、箱体の側面の開口部に中空部の応援メッセージ部材が放出しないための開閉自在な蓋が設けられている上記のプラカード兼用スポーツ応援グッズを提供する。
第４には、箱体の中空部に用途に応じた応援メッセージが装填できるように仕切りが設けられている上記のプラカード兼用スポーツ応援グッズを提供する。
第５には、箱体の中空部の一方にネームプレートが、他方に粒状物が装填された上記のプラカード兼用スポーツ応援グッズを提供する。
第６には、箱体の側面または裏面の少なくとも１つに孔またはスリットが設けられている上記のプラカード兼用スポーツ応援グッズを提供する。
【発明の効果】
【０００８】
上記第1のプラカード兼用スポーツ応援グッズの発明によれば、箱体の中空部の応援メッセージ部材が出し入れでき、しかも箱体の裏面の支持体を取り外して携行が可能なプラカードに使用することができ、また応援するチームや選手の名称を表示しながら応援することができる。
上記第２のプラカード兼用スポーツ応援グッズの発明によれば、中空の箱体の断面形状を様々な形状にすることにより選手の年齢や趣味に応じて応援することができる。
上記第３のプラカード兼用スポーツ応援グッズの発明によれば、箱体の側面の開口部を開閉自在にすることにより振動させても中空内部の応援メッセージ部材を保持することができる。
上記第４のプラカード兼用スポーツ応援グッズの発明によれば、箱体の中空部を仕切ることにより様々な応援メッセージを同時に装填することができる。
上記第５のプラカード兼用スポーツ応援グッズの発明によれば、選手毎の名前を表示できるとともに、箱体を振動することにより粒状物によるマラカスのような音を創出することができる。
上記第６のプラカード兼用スポーツ応援グッズの発明によれば、箱体に設けられた孔またはスリットにより大きな音を創出できる。
【発明を実施するための最良の形態】
【０００９】
この出願の発明を図１〜図１４に従って説明すると、図１はこの出願の発明のプラカード兼用スポーツ応援グッズを用いて応援する時の形態を前面から見た斜視図であり、このプラカード兼用スポーツ応援グッズはプラカードとして使用する前面と上面又は側面が開口された中空の箱体（１）、この中空の箱体（１）を支持するための支持棒（６）から構成されている。中空の箱体（１）の前面は応援するチームや選手のネームプレート（７）が表示されるようになっており、上面又は側面（４）にはネームプレート（７）を取り出すための開口部が設けられている。なお、図面では説明を簡単にするため側面だけが開口された態様が示されている。
【００１０】
図２はこの出願の発明のプラカード兼用スポーツ応援グッズを示す全体図であり、中空の箱体（１）の裏面には支持棒（６）が簡単に装着または取り外しができるように係止具（２）（３）が設けられている。なお、この係止具（２）（３）としては支持棒（６）が装着または取り出しが簡単にできるものならば材料や構造はどのようなものでも良いが、例えば、縦方向にスリット（割れ目）が設けられて弾力性がある樹脂や金属等からなる係止具（２）（３）が好ましい例として提示することができる。この係止具（２）（３）は中空の箱体（１）に対して垂直方向と水平向に取り付けられており、応援する時には支持棒（６）は垂直方向の係止具（２）に装着され、また携行する時には水平方向の係止具（３）に装着されている。なお、この中空箱体（１）には容易に携行できるように上方の適当な部位に手提げ用の回転可能な把持具（５）が設けられている。
【００１１】
図３は支持棒（６）が装着された時のプラカード兼用スポーツ応援グッズを裏面から見た時の斜視図であり図４はその側面図である。図５は携行可能なように支持棒（６）を外して水平方向の係止具（３）に装着した時の状態を示したものである。なお、支持棒（６）は携行する時の外見上からも中空の箱体（１）の横方向の長さよりも短くすることが好ましい。また、この係止具（２）は写真撮影時に転倒しないための支えとしても利用できる。なお、図６は図５の側面図である。
【００１２】
図７〜図１０は入場行進や応援にプラカードとして使用する中空の箱体（１）の断面形状を模式的に示したものであるが、この様に中空の箱体（１）の断面形状は、円形（図７）、楕円形（図８）、三角形（図９）、星型（図１０）等の様々な形状やこれらの形状を組み合わせたものでもよい。また、中空の箱体は図７〜図１０の形状以外にも出場する選手の年齢や性別、あるいは競技場の雰囲気に応じて、動物、鳥、魚、あるいは人気者のキャラクターなどを使用してもよい。  
【００１３】
図１１および図１２はこの出願の発明の他の態様を示したものであるが、この発明は中空の箱体の内部は２つ以上に仕切られており、仕切られた中空体の少なくとも一方の開口部には図１１に示されているような回転式の蓋（８）や図１２に示されているようなスライド式の蓋（８）が設けられている。そして、仕切られた一方にはチームや選手または応援メッセージが書かれたネームプレートが装填されるようになっており、仕切られた他方にはマラカスのように振動することにより音の出る粒状物が装填できるようになっている。なお、説明を簡単にするために図１１および図１２では中空の箱型の側面だけが開口された態様を示したが開口はもちろん側面だけでなく上面に設けても良い。
【００１４】
なお、この振動することにより音の出る軽量の粒状物としては軽くて振動させた場合に音の出るものならば何でも良くビーズや小石はもちろん、割り箸等を短く切断したものでもよい。また、おやつとして持参した包装されたままのキャラメルやラムネ菓子などでもよい。また、軽量の粒状物や棒状物が装填される中空部の裏面には振動した時に音が効果的に出るように図１３に示されているような孔（９）を設けたり、図１４に示されているような切り目（１０）を設けたりすることが好ましい。
【図面の簡単な説明】
【００１５】
【図１】プラカード兼用スポーツ応援グッズの斜視図である。
【図２】この出願の発明の全体図である。
【図３】支持棒を取り付けた状態の裏面から見た斜視図である。
【図４】支持棒を取り付けた状態の側面図である。
【図５】携行する時の状態を裏面から見た斜視図である。
【図６】携行する時の状態の側面図である。
【図７】断面が円形のプラカード兼用スポーツ応援グッズの模式図である。
【図８】断面が楕円形のプラカード兼用スポーツ応援グッズの模式図である。
【図９】断面が三角形のプラカード兼用スポーツ応援グッズの模式図である。
【図１０】断面が星型のプラカード兼用スポーツ応援グッズの模式図である。
【図１１】回転式の蓋を用いた態様を示す斜視図である。
【図１２】スライド式の蓋を用いた態様を示す斜視図である。
【図１３】中空箱体の裏面に孔を設けた斜視図である。
【図１４】中空箱体の裏面に切れ目を設けた斜視図である。
【符号の説明】
【００１６】
１  中空の箱体
２  縦方向の係止具
３  横方向の係止具
４  側面
５  把持具
６  支持棒
７  ネームプレート
８  蓋
９  孔
１０  切れ目
【図１】
2007133275.tif 000003
【図２】
2007133275.tif 000004
【図３】
2007133275.tif 000005
【図４】
2007133275.tif 000006
【図５】
2007133275.tif 000007
【図６】
2007133275.tif 000008
【図７】
2007133275.tif 000009
【図８】
2007133275.tif 000010
【図９】
2007133275.tif 000011
【図１０】
2007133275.tif 000012
【図１１】
2007133275.tif 000013
【図１２】
2007133275.tif 000014
【図１３】
2007133275.tif 000015
【図１４】
2007133275.tif 000016